(57)【要約】【課題】コンクリートの打ち継ぎ部における工事において、施工効率の向上を図るとともに、一定の精度を維持することを容易にする用いる部材保持装置を提供する。【解決手段】先打ちコンクリート側の鉄筋に取り付け、後打ちコンクリートとの打ち継ぎ部に用いる部材を保持するための装置として、打ち継ぎ部４０に用いる部材を支える強度を有し、かつ、複数個のボルト通し孔１４を列設した保持金具１２と、先打ちコンクリート側の鉄筋１１の内側に配置し、上記鉄筋の外側に配置する上記保持金具との間で当該鉄筋を挟んで固定される固定用部材１５と、上記固定用部材と係合可能な係合部１７及び相手部材と螺合可能なネジ部１８を有し、上記ネジ部の螺合により保持金具１２と固定用部材１５で鉄筋１１を挟んで固定する状態となる連結ボルト１６と、上記ボルト通し孔を利用して取り付ける保持部材２０を具備して構成する。【選択図】          図１
2013104208.tif 000002
【特許請求の範囲】
【請求項１】
先打ちコンクリート側の鉄筋に取り付け、後打ちコンクリートとの打ち継ぎ部に用いる部材を保持するための装置であって、
打ち継ぎ部に用いる部材を支える強度を有し、かつ、複数個のボルト通し孔を列設した保持金具と、
先打ちコンクリート側の鉄筋の内側に配置し、上記鉄筋の外側に配置する上記保持金具との間で当該鉄筋を挟んで固定される固定用部材と、
上記固定用部材と係合可能な係合部及び相手部材と螺合可能なネジ部を有し、上記ネジ部の螺合により保持金具と固定用部材で鉄筋を挟んで固定する状態となる連結ボルトと、
上記ボルト通し孔を利用して取り付ける保持部材を具備して構成された
コンクリートの打ち継ぎ部に用いる部材保持装置。
【請求項２】
保持部材が後打ちコンクリートとの打ち継ぎ部に用いる部材を取り付ける手段であり、保持部材のオネジ部に上記部材としての止水板、型枠材が取り付けられる
請求項１記載のコンクリートの打ち継ぎ部に用いる部材保持装置。
【請求項３】
保持金具は、両側が立ち上がり、その中間部の長手方向に沿って複数個のボルト通し孔が少なくとも一列列設された、チャネル型の横断面形状を有する部材であり、上記ボルト通し孔は、列設方向に細長い長孔より成る
請求項１記載のコンクリートの打ち継ぎ部に用いる部材保持装置。
【請求項４】
打ち継ぎ部に用いる部材は、保持部材と併用する止め金具の取り付けのための手段を有している
請求項１記載のコンクリートの打ち継ぎ部に用いる部材保持装置。
【発明の詳細な説明】
【技術分野】
【０００１】
本発明は、先打ちコンクリート側の鉄筋に取り付け、後打ちコンクリートとの打ち継ぎ部に用いる部材を保持するための装置に関するものである。
【背景技術】
【０００２】
コンクリートの打ち継ぎ部はコンクリート工事に必ず形成される部分であるが、打ち継ぎが適切に行なわれない場合には、コンクリート構造物に様々な不都合を生じることになる。打ち継ぎ部に講じる必要がある事項の一つに止水の問題があり、これについては各社から対策が講じられている。例えば特開平９−３２４５３９号は、止水板の幅寸法のほぼ半分程度を挟持する挟持部と打ち継ぎ部の鉄筋に嵌合し得る取り付け部を有する保持具を用いて、止水板の施工を効率良くかつ高精度に行なう技術を開示している。この保持具は止水板を適切に保持し得ると考えられるが、それ以上のものではない。
【０００３】
また、打ち継ぎ部に段差等を後打ちする場合があり、段差等を形成するにはそのための型枠を設置しなければならない。従来、このような型枠は、先打ちコンクリートの型枠に支持部材を用いて取り付けた、いわゆる浮かせ型枠になっており、支持部材は、先打ちコンクリートで形成されるスラブや梁などの部分を通過して設置する方法が取られてきた。しかし、先打ちコンクリート工事のための配筋が上記支持部材を取り付ける際には邪魔になり、作業性が良くないという問題がある。その上、長い支持部材も少なくはないので、浮かせ型枠はいきおい強度不足の傾向となり、型枠精度が十分には出せないという問題を生じている。しかも、止水板の取り付け工事と段差形成工事では、施工に当たる者が異なるという、現実の問題も加わる。従来は、こうした状況の下で施工業者が所有する技術、器具等により対応しており、工事の方法、それによって達成される効果はばらばらで一定し難いと言って良い。
【０００４】
【特許文献１】特開平９−３２４５３９号
【発明の開示】
【発明が解決しようとする課題】
【０００５】
本発明は前記の点に着目してなされたもので、その課題は、止水板の取り付け工事と段差形成工事等において、共通の部材、装置を用いて施工を行えるとともに、施工効率が向上し、かつ、一定の精度を維持することが容易なコンクリートの打ち継ぎ部に用いる部材保持装置を提供することである。また、本発明の他の課題は、施工業者が異なる状況においても、打ち継ぎ部におけるコンクリート工事の施工精度が高められ、施工後の補修を著しく減少可能であり、延いては施工コストの低減につながるようにすることである。
【課題を解決するための手段】
【０００６】
前記の課題を解決するため、本発明は、先打ちコンクリート側の鉄筋に取り付け、後打ちコンクリートとの打ち継ぎ部に用いる部材を保持するための装置として、打ち継ぎ部に用いる部材を支える強度を有し、かつ、複数個のボルト通し孔を列設した保持金具と、先打ちコンクリート側の鉄筋の内側に配置し、上記鉄筋の外側に配置する上記保持金具との間で当該鉄筋を挟んで固定される固定用部材と、上記固定用部材と係合可能な係合部及び相手部材と螺合可能なネジ部を有し、上記ネジ部の螺合により保持金具と固定用部材で鉄筋を挟んで固定する状態となる連結ボルトと、上記ボルト通し孔を利用して取り付ける保持部材を具備して構成するという手段を講じたものである。
【０００７】
本発明の装置は、コンクリートとの打ち継ぎ部に用いる部材を保持するための装置である。つまり、先打ちコンクリート側の鉄筋に取り付けて用いるもので、打ち継ぎ部に用いる部材取付け用のいわば土台を提供するものである。従って、その土台の、先打ちコンクリート側の鉄筋に対する固定の仕方に、本発明の一つの特徴がある。  
【０００８】
本発明の装置では、打ち継ぎ部に用いる部材を支える土台を提供するために、複数個のボルト通し孔を列設した保持金具と、上記保持金具との間で先打ちコンクリート側の鉄筋を挟んで固定される固定用部材と、上記固定用部材と係合可能な係合部及び相手部材と螺合可能なネジ部を有し、保持金具と固定用部材で鉄筋を挟んで固定するための連結ボルトと、上記ボルト通し孔に取り付ける保持部材が組み合わされている。保持金具、固定用部材及び連結ボルトは、本発明の装置を先打ちコンクリート側の鉄筋に取り付けるために使用され、保持部材は、コンクリートとの打ち継ぎ部に用いる部材の保持に使用される。
【０００９】
上記保持金具は、止水板や型枠等の部材を取り付ける土台であるから、それらの部材を支える強度と構造を有している。構造としては、止水板や型枠を必要個数取り付けられるとともに、変形しない強度を有することを要する。また、保持金具を先打ちコンクリート側の鉄筋に取り付ける手段の一つとして複数個のボルト通し孔を設けている。ボルト通し孔は、止水板等を取り付ける手段の一つでもあり、ボルト通し孔の範囲で止水板等の取り付け位置を選択することができる。
【００１０】
保持金具は、両側が立ち上がり、その中間部の長手方向に沿って複数個のボルト通し孔が少なくとも一列列設された、チャネル型の横断面形状を有し、かつ、上記ボルト通し孔は、列設方向に細長い長孔より成る形態を有していることが望ましい。チャネル型の横断面形状により、軽量で構造強度の高いものが得られ、長孔より成るボルト通し孔により、止水板等の取り付け位置の選択範囲の自由度が増す。
【００１１】
上記固定用部材は、保持金具との間で該当の鉄筋を挟むもので、保持金具を先打ちコンクリート側の鉄筋に取り付ける手段の一つである。固定用部材に適するのは、コンクリート構造物に多用される棒状の鉄筋であるが、しかし、鉄筋に限るものではなく細長い形状のものであれば、棒状でなくても使用可能である。
【００１２】
上記連結ボルトは、固定用部材と係合可能な係合部及び相手部材と螺合可能なネジ部を有し、上記ネジ部の螺合により持金具と固定用部材で鉄筋を挟んで固定する状態とする部材である。固定用部材との係合はどのような形態でも良いが、例えば、ボルトの一端にリングを設けた目玉ボルトやアイボルトなどと呼ばれる部材は、打設コンクリートに耐え、また、コンクリート打設工事に加えられることがある振動にも良く耐え得る。しかし、引っ掛けて使用可能なフック状の形態もリング状のものと同様に係合可能であり、本発明における係合部に適していると言える。
【００１３】
上記保持部材は、打ち継ぎ部に用いる部材を取り付ける手段であり、保持金具のボルト通し孔に取り付けられ、保持部材のオネジ部に上記部材としての止水板、型枠材が取り付けられる。打ち継ぎ部に用いる部材は止水板、型枠材の他の部材から、自由に選択することができる。上記型枠材は、型枠それ自体を指すとともに、また、型枠それ自体ではないが型枠の一部を構成する部材を含む。なお、打ち継ぎ部に用いる部材は、保持部材と併用する止め金具の取り付けのための手段を有している。
【発明の効果】
【００１４】
本発明は以上のように構成されかつ作用し、止水板の取り付け工事と段差形成工事等において、先打ちコンクリート側の鉄筋に固定する保持金具を用いて、打ち継ぎ部に用いる部材を保持することができるものであるから、施工効率が向上し、かつ、一定の精度を維持することが容易なコンクリートの打ち継ぎ部に用いる部材保持装置を提供することができる。また、本発明によれば、施工業者が異なる状況においても、共通の部材、装置を用いて施工を行うことができ、コンクリート工事の施工精度が高められることにより、施工後の補修を著しく減少可能であり、延いては施工コストの低減につながるという効果を奏する。
【発明を実施するための最良の形態】
【００１５】
以下図示の実施形態を参照して本発明をより詳細に説明する。図１は本発明に係るコンクリートの打ち継ぎ部に用いる部材保持装置１０の一例を示すもので、１１は先打ちコンクリート側の鉄筋、１２は保持金具であり、打ち継ぎ部４０の施工（図２参照）に用いる部材を支える強度を有し、かつ、複数個のボルト通し孔１４を一列に列設した構成を有している。
【００１６】
図示の例において、保持金具１２は、両側に立ち上がり部１３を形成し、その中間部の長手方向に沿って複数個のボルト通し孔１４を一列に列設した、チャネル型の横断面形状を有する部材であり（図３Ａ参照）、上記ボルト通し孔１４は、列設方向に細長い長孔より成っている。保持金具１２は、前述したように止水板２５や型枠材３２、３３を必要個数取り付けられるとともに、打ち継ぎ時の外力に耐え、変形しない強度を有する鋼板等の材料によって形成されている。
【００１７】
１５は固定用部材であり、先打ちコンクリート側の鉄筋の内側に配置して、上記保持金具１２との間で鉄筋１１を挟むもので、保持金具１２を先打ちコンクリート側の鉄筋に取り付ける手段の一つである。図示の例において、固定用部材１５は、コンクリート構造物に多用される棒状の鉄筋を用いて形成されている。また、図１から理解されるように、固定用部材１５は、保持金具１２とほぼ重なるように配置する。固定用部材１５は鉄筋に限るものではないが、保持金具１２と共に止水板２５や型枠材３３、３３の保持に耐える強度を有する必要がある。
【００１８】
１６は連結ボルトであり、固定用部材１５と係合可能な係合部１７及び相手部材１９と螺合可能なネジ部１８を有している。図示の例の係合部１７はリング、ネジ部１８はオネジであり、目玉ボルトやアイボルトなどと呼ばれる部材が使用可能である。相手部材１９としては、ネジ部１８がオネジであればメネジとして形成され、コンクリート工事に用いられ板ナットと通称されるものが適している。上記係合部１７に固定用部材１５を通して係合状態とし、ネジ部１８と相手部材１９を螺合することにより、保持金具１２と固定用部材１５で鉄筋１１を挟んで固定する状態とされる。  
【００１９】
２０は保持部材であり、後打ちコンクリートとの打ち継ぎ部４０に用いる部材、即ち、止水板、型枠材等を取り付ける手段である。図示の例では、保持部材２０には上記止水板２５や型枠材３２、３３などが取り付けられる。保持部材２０は、全ネジボルトなどと通称される、オネジ部２１とオネジ部２１を利用して位置調整可能な金具類２２から成り（図４Ａ参照）、止水板２５や型枠材３２、３３などの打ち継ぎ部４０に用いる部材のレベル調整機能も有している。このため、金具類２２はほぼＬ字型に形成され、Ｌ字の２面にオネジ部２１と螺合するメネジ孔２２ａと、図４Ｂに示した、蝶ボルトから成る止め金具２３の取り付けのためのネジ孔２２ｂが形成されている。また、板状のナット２４は、オネジ部２１を保持金具１２に取り付けるために使用される。
【００２０】
２５は止水板であり、下辺に折り曲げ部２５ａを設けて強度を高めるとともに、この部分で上記金具類２２に載置される。止水板２５は打ち継ぎ部４０に配置する主体であり、図６に示したように２種の補助止水板２５ｂ、２５ｃと共に使用される。短い補助止水板２５ｂは止水板２５の平面接続用に使用され、角型の補助止水板２５ｃは同じく角部接続用に使用される。止水板２５等の使用法は図７に例示してあるとおりで、図７Ａは直交配置された止水板２５の角の内側に角型の補助止水板２５ｃを配置するとともに、クリップ２６を用いて接続した例を示す。また、図７Ｂは隣接した止水板２５、２５の端部を突き合わせるとともに、両端部に重なるように補助止水板２５ｂを内側にあてがい、クリップ２６を用いて接続した例である。
【００２１】
３０は型枠保持部材であり、型枠保持杆２７と、ほぼＬ字型に形成された型枠止め金具２８、２９とから構成される（図５参照）。型枠保持杆２７は、両側にオネジ部２７ａを有するセパレーターを転用しており、型枠保持杆２７の下部にて板状のナット２７ｂを用いて保持金具１２の内側に係止可能とされ、また、上部ではオネジ部２７ａと型枠止め金具２８のメネジ孔２８ａが螺合するようになっている。もう一つの型枠止め金具２９は機能拡張型として、位置調整用長孔２９ａと、２個の透孔２９ｂを設けているものである。３１はＰコーン又はプラスチックコーンなどと通称される接続具を示しており、板状のナット２７ｂと螺合するオネジ部３１ａを一端に有し、かつまた、型枠保持杆２７と螺合するメネジ部３１ｂを他端に有している。
【００２２】
このような構成を有する本発明のコンクリートの打ち継ぎ部に用いる部材保持装置１０は、図１及び図２に示したような要領で、先打ちコンクリート側の型枠３８、３９に囲まれた鉄筋１１に取り付け、後打ちコンクリートとの打ち継ぎ部４０に適用される。即ち、本発明の部材保持装置１０は、先打ちコンクリート側の鉄筋１１の内側に固定用部材１５を配置し、上記鉄筋１１の外側に配置した上記保持金具１２との間で、連結ボルト１６等を用いて当該鉄筋１１を挟んで固定された状態にあり、この装置１０を土台として後打ちコンクリートとの打ち継ぎ部４０に用いる各種の部材が取り付けられている。図１に示した部材の一つは止水板２５であり、一つは一方の型枠材３２であり、残りの一つは他方の型枠材３３である。
【００２３】
止水板２５は、上記のとおり、本発明の部材保持装置１０の保持金具１２のボルト通し孔１４に、全体にオネジが形成されたオネジ部２１を通し、ナット２４を２個用いて保持金具１２を上下から挟んで固定し、この作業の際に複数個のオネジ部２１について垂直水平位置の調整をする。上記オネジ部２１に金具類２２をねじ込み、垂直位置の調整をし、この作業を必要な全てについて行い、ネジ孔２２ｂに止め金具２３をねじ込むとともに、上記金具類２２に止水板２５を載せ、さらに止め金具２３を本締めして止水板２５を取り付ける。
【００２４】
型枠材３２、３３についても、基本的には上記と同様に保持金具１２に取り付けることができる。即ち、本発明の部材保持装置１０の保持金具１２のボルト通し孔１４に、型枠保持杆２７のオネジ部２７ａを通し、ナット２７ｂを２個用いて保持金具１２を上下から挟んで固定する。上記型枠保持杆２７のオネジ部２７ａに接続具３１をメネジ部３１ｂにてねじ込み固定し、さらに接続具３１のオネジ部３１ａに、型枠止め金具２８を通してナット２７ｂで固定する。この作業を必要な全てについて行なうとともに、支持すべき型枠材３２、３３の高さを調整し、型枠止め金具２８の側面の小穴２８ａよりクギ３４を打ち込んで型枠材３２、３３を固定する。
【００２５】
このようにして先打ちコンクリートＳの側の鉄筋に取り付けられる、本発明の装置１０によって、後打ちコンクリートＬとの打ち継ぎを行う例について説明する。図８の例は、先打ちコンクリート側の型枠３８、３９に囲まれた梁３５の上位に  型枠材３２、３３が位置しており、かつ、両型枠材３２、３３段差をもって配置され、部屋３６の床スラブは外が高く部屋３６内が低い位置関係にあり、前記の図２と同じである。止水板２５は、打ち継ぎ部４０より上方へ突き出して後打ちコンクリートＬによって形成される壁体４１の内部に入り込む。よって、打ち継ぎ部４０におけるコンクリート工事を高い施工精度のもとに実施することができる。４２は耐震用に設けられるスリットであり、打ち継ぎ部４０と後打ち側壁体４１との間に形成される。なお、上記のスリット４２は設置しない場合もある。
【００２６】
図９の例は、部屋３６の内外での床スラブの上下差は設けないが、打ち継ぎ部４０に、水の浸入を防止するための突部を部屋３６の内外の境界部分３７に形成する場合を示している。突部から成る境界部分３７には、型枠材３２、３３が突部形成のために配置されている。図９は打ち継ぎ部４０ではあるが、後打ちコンクリートＬによってサッシなどを設けるために、後打ちコンクリートＬによって、枠部の工事が行なわれる箇所の例である。
【００２７】
図１０は、部屋３６の内外の境界部分３７に段差を設けないフラットな床スラブに本発明の装置１０を適用した例を示す。従って、先打ちコンクリートＳによって形成される打ち継ぎ部４０には、止水板２５が本発明の装置１０によって配置され、型枠材３２、３３は配置されない。また、部屋３６の境界部分に段部は形成されないが、スリット４２を介して後打ちコンクリートＬによって壁体４１が打ち継がれる。なお、説明の便宜上、図２では、後打ちコンクリートＬにも、先打ちコンクリートＳと同様にハッチングを記載している。
【００２８】
これまでの説明では、先打ちコンクリートと後打ちコンクリートの位置が上下（縦）の位置関係を取る場合について述べている。しかし、本発明では保持金具１２を背筋の外側に配置に、固定用部材１５を配筋の内側に配置する要件を満たせば良いことは明らかである。よって、先打ちコンクリートと後打ちコンクリートの位置が内外（横）の位置関係を取る場合に適用されることも当然である。また、ネジ止めの雌側として相手部材１９、ナット２４、２７ｂのように符号を分けて記載したが、これらにはいわゆる板ナットの類を共通に使用することが多いであろう。
【図面の簡単な説明】
【００２９】
【図１】本発明に係るコンクリートの打ち継ぎ部に用いる部材保持装置の一例の説明のための斜視図である。
【図２】同上の装置の打ち継ぎ部における一例を示す断面説明図である。
【図３】同上の装置に用いるもので、Ａは保持金具、Ｂは連結ボルト、Ｃは固定用部材の一例を示す斜視図である。
【図４】同じくＡは保持部材、Ｂは止め金具の一例を示す斜視図である。
【図５】同じくＡは型枠保持部材、Ｂは接続具の一例を示す斜視図である。
【図６】同じく止水板Ａ、Ｂ、Ｃ３種を示す斜視図である。
【図７】同じく止水板の適用例としてＡ、Ｂ２種を示す説明図である。
【図８】同じく本発明の装置の適用例１を示す説明図である。
【図９】同じく本発明の装置の適用例２を示す説明図である。
【図１０】同じく本発明の装置の適用例３を示す説明図である。
【符号の説明】
【００３０】
１０  コンクリートの打ち継ぎ部に用いる部材保持装置
１１  鉄筋
１２  保持金具
１４  ボルト通し孔
１５  固定用部材
１６  連結ボルト
１７  係合部
１８  ネジ部
１９  相手部材
２０  保持部材
２１  オネジ部
２２  金具類
２３  止め金具
２４  ナット
２５  止水板
２６  クリップ
２７  型枠保持杆
２８、２９  型枠止め金具
３０  型枠保持部材
３１  接続具
３２、３３  型枠材
３５  梁
４０  打ち継ぎ部
Ｌ  後打ちコンクリート
Ｓ  先打ちコンクリート
【図１】
2013104208.tif 000003
【図２】
2013104208.tif 000004
【図３】
2013104208.tif 000005
【図４】
2013104208.tif 000006
【図５】
2013104208.tif 000007
【図６】
2013104208.tif 000008
【図７】
2013104208.tif 000009
【図８】
2013104208.tif 000010
【図９】
2013104208.tif 000011
【図１０】
2013104208.tif 000012